(57)【要約】【課題】目的地方向に詳しいタクシーを案内する。【解決手段】タクシー案内システムは、タクシーごとに主営業地域と位置履歴とを蓄積して記憶する記憶部と、タクシー利用者の現在位置と目的地とを取得する取得部と、記憶部の中から、目的地に対応する主営業地域が対応付けられたタクシーを抽出する抽出部と、抽出されたタクシーの位置履歴とタクシー利用者の現在位置とに基づいて、タクシー利用者がタクシーに乗車できる可能性のある乗車位置を案内する案内部と、を備える。【選択図】図１
2014191419.tif 000002
【特許請求の範囲】
【請求項１】
タクシー案内システムであって、
タクシーごとに主営業地域と位置履歴とを蓄積して記憶する記憶部と、
タクシー利用者の現在位置と目的地とを取得する取得部と、
前記記憶部の中から、前記目的地に対応する主営業地域が対応付けられたタクシーを抽出する抽出部と、
前記抽出されたタクシーの位置履歴と前記タクシー利用者の現在位置とに基づいて、前記タクシー利用者がタクシーに乗車できる可能性のある乗車位置を案内する案内部と、
を備える、タクシー案内システム。
【請求項２】
請求項１に記載のタクシー案内システムであって、
前記案内部は、前記タクシー利用者の現在位置から最寄りの前記乗車位置を案内する、タクシー案内システム。
【請求項３】
請求項１または請求項２に記載のタクシー案内システムであって、
前記案内部は、前記目的地の方向へ向かうタクシーに乗車できる可能性のある乗車位置を案内する、タクシー案内システム。
【請求項４】
請求項１から請求項３までのいずれか一項に記載のタクシー案内システムであって、
前記記憶部は、前記タクシーの位置履歴を時間に対応付けて記憶し、
前記取得部は、現在時刻を取得し、
前記案内部は、前記取得した現在時刻に基づいて前記乗車位置を案内する、タクシー案内システム。
【請求項５】
請求項１から請求項４までのいずれか一項に記載のタクシー案内システムであって、
前記案内部は、前記抽出されたタクシーのうち、多くのタクシーが所属するタクシー会社の連絡先を案内する、タクシー案内システム。
【請求項６】
タクシー案内システムによるタクシー案内方法であって、
タクシー利用者の現在位置と目的地とを取得し、
タクシーごとに主営業地域と位置履歴とが蓄積された記憶部の中から、前記目的地に対応する主営業地域が対応付けられたタクシーを抽出し、
前記抽出されたタクシーの位置履歴と前記タクシー利用者の現在位置とに基づいて、前記タクシー利用者がタクシーに乗車できる可能性のある乗車位置を案内する、タクシー案内方法。
【発明の詳細な説明】
【技術分野】
【０００１】
本発明は、タクシー案内システムおよびタクシー案内方法に関する。
【背景技術】
【０００２】
歩行者がタクシーに乗車する場合に、タクシーにすぐに乗車できるように、乗車位置を案内するシステムが知られている。例えば、特許文献１には、空車タクシーから位置情報と空車情報を収集してデータベースに蓄積し、ユーザからの要求がある際に、データベースから必要なエリアにおける空車タクシーの走行頻度に関する情報をユーザに配信するシステムが開示されている。この技術では、ユーザがタクシーに乗車したい場合に、空車タクシーを見つけてすぐに乗車できる可能性が高い場所または道路を提示することができる。
【先行技術文献】
【特許文献】
【０００３】
【特許文献１】特開２００９−５４０７２号公報
【発明の概要】
【発明が解決しようとする課題】
【０００４】
しかし、特許文献１の技術では、ユーザの到達したい目的地方面に不案内なタクシーを拾ってしまう可能性があった。目的地方面に不案内なタクシーを拾ってしまうと、移動時間が増大するばかりか、利用料金も増大してしまう。そのため、できるだけ目的地（目的地方向、方面）に詳しいタクシーに乗車したいという要望があった。また、すぐにタクシーに乗車したい場合や、なるべく料金を抑えたい場合など、状況に応じて乗車するタクシーを選択したいという要望があった。そのほか従来のタクシー案内システムでは、使い勝手の向上等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、タクシー案内システムが提供される。このタクシー案内システムは、タクシーごとに主営業地域と位置履歴とを蓄積して記憶する記憶部と；タクシー利用者の現在位置と目的地とを取得する取得部と；前記記憶部の中から、前記目的地に対応する主営業地域が対応付けられたタクシーを抽出する抽出部と；前記抽出されたタクシーの位置履歴と前記タクシー利用者の現在位置とに基づいて、前記タクシー利用者がタクシーに乗車できる可能性のある乗車位置を案内する案内部と、を備える。一般的に、目的地に対応する主営業地域が対応付けられたタクシーは、目的地に対応する主営業地域が対応付けられていないタクシーと比べて、目的地方向の地理に詳しい。そのため、この形態のタクシー案内システムによれば、タクシー利用者が到達したい目的地方面に不案内なタクシーを拾ってしまう可能性を、低減することができる。
【０００７】
（２）上記形態のタクシー案内システムにおいて、前記案内部は、前記タクシー利用者の現在位置から最寄りの前記乗車位置を案内してもよい。このような態様のタクシー案内システムであれば、タクシー利用者の現在位置から最寄りの乗車位置が案内されるので、タクシー利用者は、タクシーに速やかに乗車することができる。
【０００８】
（３）上記形態のタクシー案内システムにおいて、前記案内部は、前記目的地の方向へ向かうタクシーに乗車できる可能性のある乗車位置を案内してもよい。このような態様のタクシー案内システムであれば、目的地の方向へ向かう乗車位置が案内されるので、タクシー利用者がタクシーに乗車する時間を短縮することができる。また、タクシーの利用料金を抑えることができる。
【０００９】
（４）上記形態のタクシー案内システムにおいて、前記記憶部は、前記タクシーの位置履歴を時間に対応付けて記憶し；前記取得部は、現在時刻を取得し；前記案内部は、前記取得した現在時刻に基づいて前記乗車位置を案内してもよい。このような態様のタクシー案内システムであれば、案内部は、タクシー利用者がタクシーを利用する時刻に基づいて、タクシーを案内することができる。
【００１０】
（５）上記形態のタクシー案内システムにおいて、前記案内部は、前記抽出されたタクシーのうち、多くのタクシーが所属するタクシー会社の連絡先を案内してもよい。このような態様のタクシー案内システムであれば、目的地に対応する主営業地域が対応付けられたタクシーのうち、多くのタクシーが所属するタクシー会社の連絡先が案内される。そのため、タクシー利用者の元に早く配車される可能性の高いタクシーを案内することができる。
【００１１】
本発明は、上述したタクシー案内システム以外の種々の形態で実現することも可能である。例えば、タクシー案内端末や、タクシー案内方法、タクシー案内方法を実現するためのコンピュータプログラム、そのコンピュータプログラムを記録した一時的でない記録媒体等の形態で実現することができる。
【図面の簡単な説明】
【００１２】
【図１】タクシー案内システム１０の概略構成を示す説明図である。
【図２】タクシー情報データベース２４０のデータ構造を示す図である。
【図３】タクシー案内システム１０により実行されるタクシー案内処理のフローチャートである。
【図４】案内条件の入力画面Ｗ１の一例を示す図である。
【図５】ステップＳ２１０において抽出される位置履歴のイメージ図である。
【図６】ステップＳ２１０において抽出される位置履歴の別のイメージ図である。
【図７】表示部１２４に表示される案内結果の一例を示す図である。
【図８】表示部１２４に表示される案内結果の別の例を示す図である。
【図９】表示部１２４に表示される案内結果の別の例を示す図である。
【発明を実施するための形態】
【００１３】
Ａ．第１実施形態：
Ａ１．システム構成：
図１は、タクシー案内システム１０の概略構成を示す説明図である。タクシー案内システム１０は、スマートフォン１００と、案内サーバ２００とを備える。スマートフォン１００は、送受信アンテナと無線基地局と交換局とを含む通信キャリア７０を介して、インターネット８０に接続された案内サーバ２００にアクセスすることができる。
【００１４】
スマートフォン１００は、主制御部１１０と、無線通信部１２０と、タッチパネル１２２と、表示部１２４と、ＧＰＳ受信機１２６と、計時部１２８と、記憶部１３０と、を備える。
【００１５】
無線通信部１２０は、通信キャリア７０を介したデータ通信や音声通信を行うための回路である。
【００１６】
表示部１２４は、地図画像等の種々の画像を表示する装置である。タッチパネル１２２は、表示部１２４に重畳して設けられており、指やペンによるタクシー利用者（ユーザ）からのタッチ操作を受け付ける。
【００１７】
ＧＰＳ受信機１２６は、ＧＰＳ（Global Positioning System／全地球測位システム）を構成する人工衛星から受信した電波に基づいて、スマートフォン１００（ユーザ）の現在位置（経度・緯度）を測位する。
【００１８】
計時部１２８は、現在時刻の計測を行う集積回路（例えば、リアルタイムクロック回路）である。なお、計時部１２８は、後述する主制御部１１０が現在時刻の計測を行うためのプログラムを実行することでソフトウェア的に実現してもよい。
【００１９】
記憶部１３０は、不揮発的にデータが記憶される記憶装置であり、例えば、フラッシュメモリによって構成される。
【００２０】
主制御部１１０は、ＣＰＵやメモリを備えており、スマートフォン１００の動作全体を制御する。
【００２１】
次に、案内サーバ２００について説明する。案内サーバ２００は、制御部２１０と、通信部２２０と、記憶部２３０と、を備えている。通信部２２０は、インターネット８０を介してスマートフォン１００と通信を行うことができる。
【００２２】
記憶部２３０は、タクシー情報データベース２４０と、連絡先データベース２５０と、地図データベース２６０と、を記憶している。
【００２３】
図２は、タクシー情報データベース２４０のデータ構造を示す図である。タクシー情報データベース２４０には、案内サーバ２００の制御部２１０が、通信部２２０を介して各タクシー会社の管理サーバ（不図示）から定期的に受信したタクシー情報が蓄積されて記憶されている。タクシー情報とは、主営業地域と、各タクシーを識別するためのＩＤと、時刻情報と、位置（経度・緯度）と、ステータスと、が対応付けられた情報である。ステータスとは、そのタクシーに乗客が乗車中であるか、タクシーが空車であるか、精算中であるかといったタクシーの利用状況である。主営業地域とは、タクシーが利用者を輸送して、営業を主に行う地域である。本実施形態では、主営業地域は、タクシー会社の営業所や配車センター、タクシーの出庫所（以下、これらをまとめて「営業所等」という）の所在位置に基づいてあらかじめ定められている。営業所等の位置を基点として営業を開始するタクシーは、一般的に、自らが所属する営業所等を含む地域の地理について詳しい。図２に示すＡ会社およびＣ会社は、ＸＺ地域に営業所等を有する。そのため、Ａ会社およびＣ会社の主営業地域はＸＺ地域であり、Ａ会社に所属するタクシーおよびＣ会社に所属するタクシーは、ＸＺ地域の地理について詳しい。また、Ｂ会社はＹＺ地域に営業所等を有するため、Ｂ会社に所属するタクシーは、ＹＺ地域の地理について詳しい。なお、主営業地域は、営業所等の所在位置からその営業所等に属するタクシーの位置履歴を集計して、営業所等からの営業範囲に基づいて定めることもできる。
【００２４】
図１に戻り、連絡先データベース２５０には、各タクシーが所属する営業所等の連絡先が記憶されている。具体的には、連絡先データベース２５０には、ユーザが各タクシー会社に対してタクシーの配車を要求する場合に使用される電話番号や、ＵＲＬが記憶されている。
【００２５】
地図データベース２６０には、スマートフォン１００の表示部１２４に地図を表示させるための地図データや、経路探索を行うためのネットワークデータが記憶されている。ネットワークデータには、自動車や自転車、バス、電車、徒歩、など、各種移動手段ごとに、それぞれの移動手段が移動可能な道のつながり状態をリンクやノードによって表したデータが含まれる。
【００２６】
制御部２１０は、ＣＰＵやメモリを備えており、案内サーバ２００の動作全体を制御する。制御部２１０は、ＣＰＵによってメモリに記録されたコンピュータプログラムが実行されることで、取得部２１２や、抽出部２１４、案内部２１６として機能する。
【００２７】
取得部２１２は、後述のタクシー案内処理において、スマートフォン１００（ユーザ）から、現在位置と現在時刻と目的地とを含むタクシー案内条件を取得するとともに、タクシー案内要求を受け付ける。取得部２１２は、さらに、タクシー案内処理において、優先する案内条件（優先案内条件）として、以下の３つの条件のうち少なくともいずれか一つを取得する。
（ａ）現在位置から最寄りの乗車位置
（ｂ）目的地の方向へ向かう乗車位置
（ｃ）ユーザの現在位置から所定のエリア内に、最も多くタクシーを配車しているタクシー会社の連絡先
【００２８】
抽出部２１４は、記憶部２３０のタクシー情報データベース２４０の中から、目的地に対応する主営業地域が対応付けられた、タクシーの位置履歴を抽出する。さらに、抽出部２１４は、時間ごと、営業所等ごとに、位置履歴を抽出する。また、抽出部２１４は、タクシーの位置履歴から、時間ごと、営業所等ごとに、タクシーの数の多い位置やエリアを抽出することができる。抽出部２１４は、位置履歴に基づいて、位置や所定のエリアごとに、タクシーの走行頻度を抽出（算出）することができる。
【００２９】
案内部２１６は、乗車位置の案内が選択されている場合には、抽出部２１４によって抽出されたタクシーの位置履歴とユーザの現在位置とに基づいて、ユーザがタクシーに乗車できる可能性のある乗車位置を決定して案内する。また、案内部２１６は、連絡先の案内が選択されている場合には、ユーザの現在位置から所定のエリア内に、最も多くタクシーを配車しているタクシー会社の連絡先を案内する。
【００３０】
案内サーバ２００の制御部２１０は、案内部２１６によって決定された乗車位置や、ユーザの現在位置から所定のエリア内に最も多くタクシーを配車しているタクシー会社の連絡先を、通信部２２０を介してスマートフォン１００へ送信する。制御部２１０は、また、乗車位置を含む地図データを、地図データベース２６０から抽出し、通信部２２０を介してスマートフォン１００へ送信する。
【００３１】
Ａ２．タクシー案内処理：
図３は、タクシー案内システム１０により実行されるタクシー案内処理のフローチャートである。本実施形態では、タクシー案内処理は、スマートフォン１００の主制御部１１０のＲＯＭに記憶されているプログラムを、スマートフォン１００のユーザが指定して実行することで開始される。
【００３２】
タクシー案内処理が開始されると、スマートフォン１００の主制御部１１０は、案内条件を入力するための入力画面Ｗ１を表示部１２４に表示して、タッチパネル１２２を介して、案内条件の入力を受け付ける（ステップＳ１００）。
【００３３】
図４は、案内条件の入力画面Ｗ１の一例を示す図である。入力画面Ｗ１は、目的地入力欄Ｃ１と、優先案内条件選択欄Ｃ２と、キャンセルボタンＢ１１と、案内開始ボタンＢ１２と、を備える。目的地入力欄Ｃ１は、ユーザの目的地を入力する欄である。優先案内条件選択欄Ｃ２は、ユーザが優先して案内を希望する項目を選択する欄である。ユーザは、優先案内条件として、（ａ）現在位置から最寄りの乗車位置と、（ｂ）目的地の方向へ向かう乗車位置と、（ｃ）ユーザの現在位置から所定のエリア内に、最も多くタクシーを配車しているタクシー会社の連絡先と、の中から少なくとも一つを選択する。
【００３４】
図３に戻り、スマートフォン１００の主制御部１１０は、ステップＳ１００において、案内開始ボタンＢ１２が押下されることにより、案内条件の入力を受け付けると、計時部１２８によって現在の時刻を検出するとともに、ＧＰＳ受信機１２６によってスマートフォン１００（ユーザ）の現在位置を検出する（ステップＳ１１０）。スマートフォン１００の主制御部１１０は、目的地と優先案内条件と現在時刻と現在位置とを含む案内条件を、タクシー案内要求とともに案内サーバ２００へ送信する（ステップＳ１２０）。
【００３５】
案内サーバ２００の取得部２１２は、通信部２２０を介して、タクシー案内要求を受信するとともに、案内条件を取得する（ステップＳ２００）。案内サーバ２００の抽出部２１４は、記憶部２３０のタクシー情報データベース２４０の中から、取得された目的地に対応する主営業地域が対応付けられた、タクシーの位置履歴を抽出する抽出処理を行う（ステップＳ２１０）。なお、ステップＳ２１０で抽出されるタクシーの位置履歴は、取得された現在時刻が含まれる時間帯の位置履歴であり、例えば前後１５分や、３０分、１時間の時間帯に含まれる時刻が対応付けられた位置履歴である。
【００３６】
図５は、ステップＳ２１０において抽出される位置履歴のイメージ図である。図５には、取得部２１２によって、ＸＺ地域方向に存在する目的地と、現在時刻１３：００が取得された場合に抽出される位置履歴を示している。抽出部２１４は、タクシー情報データベース２４０の中から目的地方向であるＸＺ地域に営業所等を有するＡ会社およびＣ会社のタクシーの位置履歴のうち、１３：００を含む時間帯の位置履歴を抽出する。図５に示す矢印ｊ１、ｊ２、ｊ３、ｊ４は、１３：００を含む時間帯において、Ａ会社およびＣ会社のタクシーが所定の台数以上存在する（走行する）位置を示している。ハッチングを付して示したエリアは、タクシーが存在している位置をタクシー会社ごとに示したエリアである。ハッチングのエリアの大きさは、タクシーの数に比例している。なお、この場合、抽出部２１４は、Ｂ会社のタクシーの位置履歴を抽出しない。Ｂ会社は、ＹＺ地域に営業所等を有しており、主営業地域が目的地（ＸＺ地域）に対応していないためである。
【００３７】
図６は、ステップＳ２１０において抽出される位置履歴の別のイメージ図である。図６には、取得部２１２によって、ＸＺ地域方向に存在する目的地と、現在時刻２１：００が取得された場合に抽出される位置履歴を示している。抽出部２１４は、タクシー情報データベース２４０の中から目的地方向であるＸＺ地域に営業所等を有するＡ会社およびＣ会社のタクシーの位置履歴のうち、２１：００を含む時間帯の位置履歴を抽出する。図６に示す矢印ｊ５、ｊ６、ｊ７、ｊ８は、位置履歴から抽出された、Ａ会社およびＣ会社のタクシーが所定の台数以上存在する（走行する）位置を示している。ハッチングを付して示したエリアは、タクシーが存在している位置をタクシー会社ごとに示したエリアである。人通りや車通りは、時間帯によって異なる。そのため、図５および図６に示すように、Ａ会社およびＣ会社のタクシーが多く存在する位置およびエリアは、取得される現在時刻によって異なる。
【００３８】
抽出部２１４によって抽出処理が行われると、案内部２１６は、現在位置および優先案内条件に基づいて、案内処理を行う（ステップＳ２２０）。案内部２１６は、優先案内条件として最寄りの乗車位置の案内が取得された場合には、抽出部２１４によって抽出されたタクシーが存在する位置のうち、現在位置ｐ１から最寄りの位置を乗車位置として決定する。目的地の方向へ向かう乗車位置の案内が取得された場合には、案内部２１６は、抽出部２１４によって抽出されたタクシーが存在する位置のうち、目的地の方向へ向かう位置を、乗車位置として決定する。また、案内部２１６は、優先案内条件として連絡先の案内が取得された場合には、ユーザの現在位置ｐ１から所定のエリア内に、最も多くタクシーを配車しているタクシー会社を決定する。なお、タクシー案内システム１０の管理者等は、所定のエリアの大きさを、例えば、ユーザの現在位置ｐ１からの距離や、現在位置ｐ１までのタクシーの到達時間等に応じて、あらかじめ指定しておくことができる。
【００３９】
次に、案内サーバ２００の制御部２１０は通信部２２０を介してスマートフォン１００へ案内処理の結果を送信する（ステップＳ２３０）。具体的には、制御部２１０は、乗車位置が決定された場合には、決定された乗車位置を含む地図データと乗車位置データと、を含む案内結果をスマートフォン１００へ送信する。連絡先の案内が選択されている場合には、制御部２１０は、ステップＳ２２０において決定されたタクシー会社の連絡先を連絡先データベース２５０から読み出して、スマートフォン１００へ送信する。
【００４０】
スマートフォン１００の主制御部１１０は、無線通信部１２０を介して案内結果を受信すると（ステップＳ１３０）、受信した案内結果を、表示部１２４に表示する（ステップＳ１４０）。以上のようにして、タクシー案内システム１０による案内処理が実行される。
【００４１】
図７は、表示部１２４に表示される案内結果の一例を示す図である。図７には、上述の図５と同様に、現在時刻が１３：００であり、目的地が図７の左方向に存在するＸＺ地域に属するＸＺ病院であり、さらに、優先案内条件として最寄りの乗車位置の案内が選択された場合の案内結果の一例を示している。このような優先案内条件が選択されている場合には、上述の図５に示した矢印ｊ１〜ｊ４のうち、現在位置ｐ１から最寄りの乗車位置である、矢印ｊ１が存在する位置（通り）が、乗車位置として決定されて案内される。ユーザは、矢印ｊ１が存在する通りに向かえば、目的地（目的地方向、方面）に詳しいタクシーに速やかに（早く）乗車することができる可能性が高くなる。
【００４２】
図８は、表示部１２４に表示される案内結果の別の例を示す図である。図８には、上述の図５と同様に、現在時刻が１３：００であり、目的地が図８の左方向に存在するＸＺ地域に属するＸＺ病院であり、さらに、優先案内条件として目的地の方向へ向かう乗車位置の案内が選択されている場合の案内結果の一例を示している。このような優先案内条件が選択されている場合には、上述の図５に示した矢印ｊ１〜ｊ４のうち、目的地方向へ向かう矢印ｊ３が存在する位置が、乗車位置として決定されて案内される。ユーザは、矢印ｊ３が存在する位置へ向かえば、目的地（目的地方向、方面）に詳しいタクシーのうち、目的地方向へ向かうタクシーへ乗車することができる可能性が高くなる。
【００４３】
図９は、表示部１２４に表示される案内結果の別の例を示す図である。優先案内条件として、連絡先の案内が選択されている場合には、目的地に対応する主営業地域が対応付けられたタクシーのうち、ユーザの現在位置から所定のエリア内に、最も多くタクシーを配車しているタクシー会社の連絡先が表示される。図９には、配車数が最も多いタクシー会社が上位にソートされた連絡先が、表示されている。
【００４４】
以上で説明したタクシー案内処理では、目的地に対応する主営業地域が対応付けられたタクシーが抽出される。すなわち、目的地や目的地方向に詳しいタクシーが抽出される。そのため、ユーザは、目的地により短い時間で、より安い料金で到達するタクシーに乗車することができる。よって、ユーザは、不慣れな土地であっても、安心してタクシーに乗車することができる。また、優先条件として、最寄りの乗車位置が選択されている場合には、ユーザの現在位置から最寄りの乗車位置が案内される。そのため、天候が悪い場合や、ユーザが疲れている場合など、なるべく早くタクシーに乗車したい場合には、ユーザは目的地方向に詳しいタクシーに速やかに乗車することができる。また、優先条件として、目的地方向へ向かう乗車位置が選択されている場合には、目的地方向へ向かうタクシーの乗車位置が案内される。そのため、ユーザがタクシーに乗車する時間を短くすることができる。優先条件として、タクシー会社の連絡先の案内が選択されている場合には、ユーザの現在位置から所定のエリア内に、最も多くタクシーを配車しているタクシー会社の連絡先が上位に配置されて案内される。そのため、ユーザの元に早く配車される可能性の高いタクシーを案内することができる。また、抽出部２１４は、取得された時間に応じて位置履歴を抽出するため、時間ごとにタクシーの走行履歴が異なる場合であっても、時間に応じて、ユーザはタクシーの乗車位置や配車されている数の多いタクシー会社の連絡先を知ることができる。
【００４５】
Ｂ．変形例：
Ｂ１．変形例１：
上述の実施形態では、案内部２１６は、優先案内条件としてタクシーの乗車位置の案内が選択された場合には、図７および図８に示すようにタクシーの乗車位置を案内している。これに対し、案内サーバ２００の制御部２１０は、さらに、地図データベース２６０を用いて現在位置から乗車位置までの経路を探索し、探索した経路データを１００へ送信してもよい。こうすることで、ユーザは、より速やかにタクシーへ乗車することができる。
【００４６】
Ｂ２．変形例２：
上述の実施形態では、抽出部２１４は、時間ごとに目的地に対応する主営業地域が対応付けられたタクシーの位置履歴を抽出している。これに対し、抽出部２１４は、さらに、曜日ごと、休日・祝日ごとに位置履歴を抽出してもよい。こうすることで、ユーザは、曜日、休日・祝日にかかわらず、目的地に詳しいタクシーに乗車することができる。
【００４７】
Ｂ３．変形例３：
上述の実施形態では、抽出部２１４は、目的地に対応する主営業地域が対応付けられたタクシーの位置履歴を抽出している。これに対し、抽出部２１４は、地図データベース２６０から位置に対応するリンクを読み出して、リンクごとにタクシーの多い位置を抽出してもよい。
【００４８】
Ｂ４．変形例４：
上述の実施形態では、抽出部２１４は、目的地に対応する主営業地域が対応付けられたタクシーの位置履歴を抽出している。これに対し、抽出部２１４は、さらに、ステータスごとにタクシーの位置履歴を抽出してもよい。例えば、ステータスが「空車」を示すタクシーの位置履歴を抽出すれば、案内部２１６は、乗車可能なタクシーをより確実に案内することができる。
【００４９】
Ｂ５．変形例５：
上述の実施形態では、抽出部２１４は、目的地に対応する主営業地域が対応付けられたタクシーの位置履歴を抽出し、案内部２１６は、道路上の位置履歴を矢印で案内している。これに対し、案内部２１６は、乗車位置をより詳細に案内してもよい。例えば、地図データベース２６０にタクシーの乗車位置を登録しておき、案内部２１６は、現在位置ｐ１から所定のエリア内における乗車位置を案内してもよい。また、抽出部２１４によって、ステータスが「精算中」を示すタクシーの位置履歴を抽出しておく。精算の後は、タクシーが空車になる可能性が高いため、案内部２１６は、精算中を示すタクシーの位置履歴を、乗車位置として案内してもよい。
【００５０】
Ｂ６：変形例６：
上述の実施形態では、図５を用いて説明したように、抽出部２１４は、タクシーの時間帯ごとの位置履歴から、タクシーが所定の台数以上存在する（走行する）位置を抽出している。これに対し、抽出部２１４は、タクシーが存在する（走行する）位置を、タクシーの台数にかかわらず抽出することとしてもよい。
【００５１】
Ｂ７．変形例７：
上述の実施形態では、例えば図７を用いて説明したように、表示部１２４には、最寄りの乗車位置のみが表示される。これに対し、表示部１２４に、最寄りの乗車位置を特定して表示するとともに、他の乗車位置を複数表示することとしてもよい。案内サーバ２００の制御部２１０は、他の乗車位置（道路）までの所要時間を計算し、表示部１２４には他の乗車位置までの所要時間を表示してもよい。また、表示部１２４には、他の乗車位置（道路）におけるタクシーの存在する台数を、矢印の太さや、矢印の種類（破線、実線）などを変更することによって表現してもよい。こうすることで、ユーザは、最寄りの乗車位置の案内を選択した場合であっても、他の乗車位置までの所要時間を参照して、乗車位置を選択することができる。また、ユーザは、タクシーの走行頻度を参照して、乗車位置を選択することができる。
【００５２】
Ｂ８．変形例８：
上述の実施形態では、ユーザは、優先する案内条件（優先案内条件）として、以下の３つの条件のうち少なくともいずれか一つを選択している。
（ａ）現在位置から最寄りの乗車位置
（ｂ）目的地の方向へ向かう乗車位置
（ｃ）ユーザの現在位置から所定のエリア内に、最も多くタクシーを配車しているタクシー会社の連絡先
これに対し、ユーザは上記（ａ）〜（ｃ）のうち、複数の案内条件を選択してもよい。抽出部２１４は、選択されたそれぞれの条件ごとにタクシーの位置履歴を抽出し、案内部２１６は、それぞれの条件ごとに、案内する乗車位置やタクシー会社の連絡先を決定してもよい。表示部１２４は、上記（ａ）〜（ｃ）の案内結果を、それぞれの条件ごとに、または同時に表示してもよい。
【００５３】
Ｂ９：変形例９：
上述の実施形態では、案内サーバ２００が、施設データや地図データ、ネットワークデータを記憶している。これに対して、スマートフォン１００は、タクシー情報や連絡先、地図データ、ネットワークデータを、自身のメモリに記憶していてもよい。この場合、スマートフォン１００は、自身のメモリに記憶されたタクシー情報や連絡先、地図データ、ネットワークデータを用いてタクシー案内処理を行うことができる。
【００５４】
Ｂ１０．変形例１０：
上述の実施形態では、タクシー案内処理は、スマートフォン１００を用いて実行されている。これに対し、スマートフォン１００は、一般的な携帯電話やノート型パソコン、タブレット端末、携帯情報端末（ＰＤＡ）、車載端末、携帯音楽プレーヤ、携帯型ゲーム機、など、様々な装置に置きかえることが可能である。
【００５５】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００５６】
１０…タクシー案内システム
７０…通信キャリア
８０…インターネット
１００…スマートフォン
１１０…主制御部
１２０…無線通信部
１２２…タッチパネル
１２４…表示部
１２６…ＧＰＳ受信機
１２８…計時部
１３０…記憶部
２００…案内サーバ
２１０…制御部
２１２…取得部
２１４…抽出部
２１６…案内部
２２０…通信部
２３０…記憶部
２４０…タクシー情報データベース
２５０…連絡先データベース
２６０…地図データベース
Ｗ１…入力画面
Ｃ１…目的地入力欄
Ｃ２…優先案内条件選択欄
Ｂ１１…キャンセルボタン
Ｂ１２…案内開始ボタン
ｐ１…現在位置
【図１】
2014191419.tif 000003
【図２】
2014191419.tif 000004
【図３】
2014191419.tif 000005
【図４】
2014191419.tif 000006
【図５】
2014191419.tif 000007
【図６】
2014191419.tif 000008
【図７】
2014191419.tif 000009
【図８】
2014191419.tif 000010
【図９】
2014191419.tif 000011